(57)【要約】【課題】浴槽の使用条件や浴槽洗浄装置の設置環境に関わらず、所定の噴射位置に洗浄液を噴射させて、安定した洗浄性能が得られる浴槽洗浄装置を提供する。【解決手段】洗剤タンク４１から供給される洗剤と熱源機６から供給される湯水とを混合して洗浄液を生成する洗剤混合部５１と、浴槽１に洗剤混合部５１で生成された洗浄液を噴射させる洗浄ノズル７とを備え、手動流量設定部Ｒで設定された設定流量となるように洗浄液の流量を調整する。【選択図】図１
2018175001.tif 000002
【特許請求の範囲】
【請求項１】
洗剤タンクから供給される洗剤と熱源機から供給される湯水とを混合して洗浄液を生成する洗剤混合部と、
浴槽に洗剤混合部で生成された洗浄液を噴射させる洗浄ノズルと、
洗浄ノズルから噴射させる洗浄液の流量が所定の設定流量となるように調整する流量調整部と、
洗浄ノズルから噴射させる洗浄液の設定流量を手動で設定する手動流量設定部と、
手動流量設定部で洗浄ノズルから噴射させる洗浄液の設定流量が設定されると、設定後の洗浄液の設定流量を新たな設定流量として記憶する記憶部と、を備える浴槽洗浄装置。
【請求項２】
請求項１に記載の浴槽洗浄装置は、洗浄運転中に洗浄ノズルから噴射させる洗浄液の設定流量を設定する流量設定モードでの運転を実行可能に構成されており、
流量設定モードでの運転に際し、手動流量設定部で洗浄ノズルから噴射させる洗浄液の設定流量が設定される浴槽洗浄装置。
【請求項３】
請求項２に記載の浴槽洗浄装置は、
流量設定モードでの運転の前または後に連続して洗浄試運転モードでの運転を実行可能に構成されている浴槽洗浄装置。
【発明の詳細な説明】
【技術分野】
【０００１】
本発明は、浴槽を自動で洗浄する浴槽洗浄装置に関する。特に、本発明は、洗浄運転中の洗浄液の設定流量を手動で設定する流量設定モードを備えた浴槽洗浄装置に関する。
【背景技術】
【０００２】
従来、浴槽内へ洗浄液を噴射させて浴槽の内壁面に付着した汚れを洗い落とす浴槽洗浄装置が知られている。例えば、浴槽の内壁面全周や浴槽蓋全面に亘って洗浄液が噴射されるように噴射角度が設定された浴槽洗浄装置が提案されている（特許文献１）。
【０００３】
ところで、浴槽の内壁面は、入浴者が入浴した状態における喫水線が接触する領域に最も汚れが付着しやすい。従って、洗浄運転を効率的に実行するためには、この最も汚れが多く付着する領域に洗浄液を噴射することが望ましい。そのため、特許文献１では、浴槽に注湯される標準湯量を設定し、標準湯量の湯水を注湯したときの喫水線と浴槽の内壁面とが接触する領域に洗浄液が噴射されるように噴射角度を設定している。
【０００４】
しかしながら、各家庭によって浴槽の使用条件は異なる。例えば、毎回、複数人が同時に入浴する場合と、一人の入浴者のみが入浴する場合とでは、同じ浴槽の大きさであっても、定常的に浴槽に注湯される湯量が異なってくる。それゆえ、浴槽の大きさに応じた標準湯量が設定されていても、標準湯量の湯水が注湯されたときとは異なる位置に喫水線が形成されて、所期の洗浄効果が得られないという問題がある。
【０００５】
また、上水の水道水圧力を利用して洗浄液を噴射させる浴槽洗浄装置では、地域によって水道水圧力が異なると、給湯器などの熱源機から浴槽洗浄装置に供給される湯水の流量が変動するため、洗浄液の流量が変動しやすい。さらに、熱源機は屋外に設置される場合も多く、設置環境によって熱源機から洗浄ノズルまでの配管長さが異なってくるため、配管長さの相違によっても、洗浄液の流量が変動しやすい。それゆえ、浴槽の大きさや使用条件に応じた標準湯量が予め想定され、その標準湯量で浴槽に注湯されている場合でも、想定されている標準湯量で湯水が注湯されたときの喫水線と浴槽の内壁面とが接触する領域に洗浄液が噴射されず、十分な洗浄効果が得られない虞がある。
【先行技術文献】
【特許文献】
【０００６】
【特許文献１】特開平１０−３２８１２４号公報
【発明の概要】
【発明が解決しようとする課題】
【０００７】
本発明は上記課題を解決するものであり、本発明の目的は、浴槽の使用条件や浴槽洗浄装置の設置環境に関わらず、所定の噴射位置に洗浄液を噴射させて、安定した洗浄性能が得られる浴槽洗浄装置を提供することにある。
【課題を解決するための手段】
【０００８】
本発明によれば、
洗剤タンクから供給される洗剤と熱源機から供給される湯水とを混合して洗浄液を生成する洗剤混合部と、
浴槽に洗剤混合部で生成された洗浄液を噴射させる洗浄ノズルと、
洗浄ノズルから噴射させる洗浄液の流量が所定の設定流量となるように調整する流量調整部と、
洗浄ノズルから噴射させる洗浄液の設定流量を手動で設定する手動流量設定部と、
手動流量設定部で洗浄ノズルから噴射させる洗浄液の設定流量が設定されると、設定後の洗浄液の設定流量を新たな設定流量として記憶する記憶部と、を備える浴槽洗浄装置が提供される。
【０００９】
上記浴槽洗浄装置は、洗浄ノズルから噴射させる洗浄液の流量が設定流量となるように調整する流量調整部と、洗浄ノズルから噴射させる洗浄液の設定流量を手動で設定する手動流量設定部と、手動流量設定部で洗浄ノズルから噴射させる洗浄液の設定流量が設定されると、設定後の洗浄液の設定流量を新たな設定流量として記憶する記憶部とを有するから、浴槽洗浄装置の設置現場で、浴槽の使用条件や浴槽洗浄装置の設置環境に応じて洗浄ノズルから噴射される洗浄液の噴射位置を手動で容易に変更することができる。
【００１０】
好ましくは、上記浴槽洗浄装置は、洗浄運転中に洗浄ノズルから噴射させる洗浄液の設定流量を設定する流量設定モードでの運転を実行可能に構成されており、
流量設定モードでの運転に際し、手動流量設定部で洗浄ノズルから噴射させる洗浄液の設定流量が設定される。
【００１１】
上記浴槽洗浄装置によれば、洗浄運転中に洗浄ノズルから噴射させる洗浄液の設定流量を設定する流量設定モードでの運転が実行可能であるから、洗浄運転の全工程を実行することなく、浴槽洗浄装置の設置現場で、洗浄ノズルから適切な噴射位置に洗浄液が噴射されるかどうかを確認することができる。そして、上記浴槽洗浄装置によれば、流量設定モードでの運転に際し、手動流量設定部で洗浄ノズルから噴射させる洗浄液の設定流量が設定されると、設定後の洗浄液の設定流量が新たな設定流量として記憶され、流量調整部で洗浄運転中に洗浄ノズルから噴射させる洗浄液の流量が新たに設定された設定流量となるように調整されるから、適切な噴射位置に洗浄液を噴射させることができる。これにより、例えば、浴槽に注湯する標準湯量が想定されて、洗浄液の噴射位置が予め設定されている浴槽洗浄装置でも、浴槽洗浄装置の設置現場で、浴槽の使用条件や浴槽洗浄装置の設置環境に応じて洗浄液の噴射位置をより適切な位置に手動で容易に変更することができる。
【００１２】
好ましくは、上記浴槽洗浄装置は、流量設定モードでの運転の前または後に連続して洗浄試運転モードでの運転を実行可能に構成される。
【００１３】
上記浴槽洗浄装置によれば、流量設定モードでの運転の前または後に連続して洗浄試運転モードでの運転が実行可能に構成されているから、浴槽洗浄装置の設置時に、施工者による設定忘れを防止でき、確実に設定流量を設定することができる。
【発明の効果】
【００１４】
以上のように、本発明によれば、浴槽洗浄装置の設置現場で、洗浄液の噴射位置を手動で容易に変更できるから、定常的な入浴者の人数などの浴槽の使用条件だけでなく、水道水圧力や配管長さなどの浴槽洗浄装置の設置環境が異なっていても、安定した洗浄性能が得られる浴槽洗浄装置を提供することができる。
【図面の簡単な説明】
【００１５】
【図１】図１は、本発明の実施の形態１に係る浴槽洗浄装置を示す概略構成図である。
【図２】図２は、本発明の実施の形態１に係る浴槽洗浄装置の試運転での制御動作を示すフローチャートである。
【図３】図３は、本発明の実施の形態２に係る浴槽洗浄装置を示す概略構成図である。
【図４】図４は、本発明の実施の形態２に係る浴槽洗浄装置の試運転での制御動作を示すフローチャートである。
【発明を実施するための形態】
【００１６】
（実施の形態１）
以下、図面を参照しながら、本発明の実施の形態に係る浴槽洗浄装置を説明する。
図１は、本実施の形態に係る浴槽洗浄装置を示す概略構成図である。図１に示すように、浴室ＢＲ内には、浴室壁に沿って浴槽１が配設され、浴室ＢＲ外（例えば、屋外）には、熱源機である給湯器６が配設されている。図示しないが、浴槽１は、貯水部を構成する浴槽内周壁と、貯水部の開口縁から全周に亘って外方へ水平に張り出す上縁フランジ部と、浴槽１の外側面を構成するエプロンとを備え、上縁フランジ部の下方には浴槽内空間１０が形成されている。
【００１７】
浴槽１の底部には浴槽水を排水するための排水栓２と、湯水や洗浄液を噴射する洗浄ノズル７とが設けられている。図示しないが、洗浄ノズル７は、洗浄管４３を介して供給される湯水や洗浄液を浴槽１の貯水部の内周面全域に亘って放射状に噴射する噴射口を備える。この噴射口は、湯水や洗浄液の流量に応じて、湯水や洗浄液の噴射位置が貯水部の内周面の上下域に変動するように構成されている。なお、洗浄ノズル７は、浴槽１と別に設けられてもよい。浴槽１の上縁フランジ部には、排水スイッチ５が設けられており、排水スイッチ５は、上縁フランジ部の下方に設けられた排水栓２を開閉する排水栓コントローラ５０と接続されている。従って、使用者が排水スイッチ５を操作したり、後述するリモコンＲの洗浄スイッチを操作したりすると、排水栓２が開栓され、浴槽１内の浴槽水が排水される。
【００１８】
図示しないが、給湯器６は、ガスバーナと、給湯熱交換器とを備える。ガスバーナには、ガス供給管７８が接続されている。給湯熱交換器には、給水源から上水を供給するための給水管６３と、カランやシャワーなどの給湯栓６５や後述する本体ユニット４に給湯器６から加熱された湯水を供給する給湯管６６とが接続されている。また、給湯器６内には、湯張り運転や給湯運転を制御する給湯器コントローラ６０が組み込まれており、給水管６３に設けられた給水センサや給湯管６６に設けられた給湯温度センサなどの各種センサ、給水管６３、給湯管６６、及びガス供給管７８に設けられた各種制御弁、点火装置、電源ボックスや、図示しない給湯器用のリモコンは、給湯器コントローラ６０と電気配線を介して接続されている。なお、本実施の形態では、給湯器６は給湯熱交換器のみを有するが、浴槽１に循環金具を設けるとともに、給湯器６に給湯熱交換器及び風呂熱交換器を設け、追焚き機能を有する給湯器を用いてもよい。また、電気式給湯器やヒートポンプ式給湯器を用いてもよい。
【００１９】
給水管６３及び給湯管６６はそれぞれ、給湯栓６５側と浴室ＢＲの天井壁の裏面に配設された本体ユニット４側とに分岐している。給水管６３及び給湯管６６からそれぞれ本体ユニット４側に分岐する上流側の第１温調用給水管６３ａ及び第１湯水供給管６６ａには、逆止弁７１，７２と、湯水混合部８０とが接続されている。より詳細には、湯水混合部８０は、上流側の第１温調用給水管６３ａに上流側から順に介設された、給水温センサ８１、水量センサ８３、及び水量調整弁８５と、上流側の第１湯水供給管６６ａに上流側から順に介設された、湯温センサ８２、湯量センサ８４、及び湯量調整弁８６とを備える。また、逆止弁７１，７２近傍の上流側の第１温調用給水管６３ａ及び第１湯水供給管６６ａの配管周囲にはそれぞれ、凍結防止用ヒータ７３，７４が配設されている。上流側の第１温調用給水管６３ａ及び第１湯水供給管６６ａは、水量調整弁８５及び湯量調整弁８６の下流側で合流して、１つの上流側の第２湯水供給管６６ｂを構成している。上流側の第２湯水供給管６６ｂには、温度センサ７５が介設されている。
【００２０】
上流側の第２湯水供給管６６ｂは、補水用電磁弁４６を介して、湯水貯留部である湯水タンク４７に接続されている。また、湯水混合部８０と湯水タンク４７とを接続する上流側の第２湯水供給管６６ｂからは、湯張り用湯水供給管６６ｄが分岐しており、湯張り用湯水供給管６６ｄは、湯張り用電磁弁９０を介して、浴槽１の上方に位置する框水栓７９と接続されている。上流側の第２湯水供給管６６ｂの分岐部と湯張り用電磁弁９０との間の湯張り用湯水供給管６６ｄの配管周囲には、凍結防止用ヒータ７６が配設されている。
【００２１】
図示しないが、湯水タンク４７の上部には、上流側の第２湯水供給管６６ｂから供給される湯水が吐出する補水口と、補水口よりも下方に位置するオーバーフロー口とが設けられている。また、湯水タンク４７の底部には、流出口が設けられており、流出口には、ポンプ４８に湯水を供給するための下流側の第３湯水供給管６６ｃが接続されている。さらに、オーバーフロー口には、浴槽パン内に延設されたオーバーフロー管６８が接続されている。従って、補水口とオーバーフロー口との間には吐水口空間が形成され、上流側の第２湯水供給管６６ｂと下流側の第３湯水供給管６６ｃとは湯水タンク４７によって縁切りされている。このため、湯水タンク４７は、逆流防止部としても機能する。
【００２２】
下流側の第３湯水供給管６６ｃには、上流側から順に、ポンプ４８と、下流側電磁弁４９とが介設されている。本体ユニットコントローラ４０からの制御信号でポンプ４８を駆動及び停止させるとともに、下流側電磁弁４９を開弁及び閉弁させることにより、湯水タンク４７から洗浄液生成ユニット３へ湯水が供給及び停止され、それによって洗浄ノズル７から湯水や洗浄液の噴射及び停止が行われる。また、本体ユニットコントローラ４０からの制御信号でポンプ４８の駆動電圧を制御することにより、洗浄ノズル７から噴射される湯水や洗浄液の流量が調整される。従って、本実施の形態では、ポンプ４８及び本体ユニットコントローラ４０におけるポンプ４８の駆動制御部が、洗浄ノズル７から噴射する洗浄液の流量を調整する流量調整部として機能する。
【００２３】
図示しないが、本体ユニット４は、上記した湯水混合部８０、湯水タンク４７、ポンプ４８等の各構成部品が収容されたケーシングを備え、ケーシング内の湯水混合部８０の近傍には、ケーシング内の温度を検知する低温感知用温度センサ７７が配設されている。また、本体ユニット４には、本体ユニットコントローラ４０が組み込まれており、既述した給水温センサ８１、湯温センサ８２、水量センサ８３、湯量センサ８４、水量調整弁８５、湯量調整弁８６、凍結防止用ヒータ７３，７４，７６、温度センサ７５、低温感知用温度センサ７７、補水用電磁弁４６、ポンプ４８、下流側電磁弁４９、湯張り用電磁弁９０、リモコンＲや、図示しない湯水タンク４７内の電極、電源ボックスは、本体ユニットコントローラ４０と電気配線を介して接続されている。さらに、本体ユニットコントローラ４０は、後述する洗浄ユニットコントローラ３０と双方向通信可能に接続されている。
【００２４】
浴槽１の上縁フランジ部の下方に位置する浴槽内空間１０には、洗浄液生成ユニット３を構成する、洗剤を貯留する洗剤タンク４１と、ベンチュリ式の洗剤混合部５１と、洗剤タンク４１からの洗剤を洗剤混合部５１に導く洗剤導入管４４とが配設されており、洗剤導入管４４には、洗剤混合部５１への洗剤の供給を調整する第１及び第２洗剤弁４２ａ，４２ｂが介設されている。洗剤混合部５１と洗浄ノズル７とは、洗浄管４３を介して接続されている。なお、浴槽内空間１０の大きさ等に応じて、洗剤タンク４１、第１及び第２洗剤弁４２ａ，４２ｂ、並びに洗剤混合部５１を浴槽内空間１０内でそれぞれ離間させて配設してもよい。
【００２５】
天井裏の本体ユニット４と、浴室ＢＲ内の洗浄液生成ユニット３とは、浴槽１の一側方の浴室壁を貫通する湯水管６７によって接続されている。より詳細には、湯水管６７は、上流端が本体ユニット４の下流側電磁弁４９と接続され、下流端が洗浄液生成ユニット３の洗剤混合部５１と接続されている。従って、第１及び第２洗剤弁４２ａ，４２ｂが開弁された状態で、ポンプ４８を駆動させるとともに、下流側電磁弁４９を開弁させて、湯水タンク４７に貯留された湯水を湯水管６７を介して洗剤混合部５１に供給すると、湯水が洗剤混合部５１を通過する際に生じる負圧によって、洗剤と湯水とが混合されて洗浄液が生成され、洗浄管４３を通って、洗浄ノズル７から洗浄液が噴射され、浴槽１の洗浄が行われる。また、第１及び第２洗剤弁４２ａ，４２ｂが閉弁された状態で、同様にポンプ４８を駆動させるとともに、下流側電磁弁４９を開弁させて、湯水タンク４７に貯留された湯水を湯水管６７から洗剤混合部５１に供給すると、洗浄ノズル７から湯水のみが噴射され、浴槽１の予備洗浄やすすぎが行われる。
【００２６】
図示しないが、洗浄液生成ユニット３は、上記した洗剤混合部５１や第１及び第２洗剤弁４２ａ，４２ｂが収容されたケーシングを備える。また、洗浄液生成ユニット３には、洗浄ユニットコントローラ３０が組み込まれており、既述した第１及び第２洗剤弁４２ａ，４２ｂや図示しない洗剤タンク４１の電極は、洗浄ユニットコントローラ３０と電気配線を介して接続されている。さらに、洗浄ユニットコントローラ３０は、排水栓コントローラ５０及び本体ユニットコントローラ４０と双方向通信可能に接続されている。
【００２７】
浴室ＢＲ内には、湯張り運転及び洗浄運転用のリモコンＲが配設されており、本実施の形態ではリモコンＲが手動流量設定部として機能する。リモコンＲには、運転スイッチ１０１、湯張り運転を行う湯張りスイッチ１０２、洗浄運転を行う洗浄スイッチ１０３、洗浄運転後に、湯張り運転を行う洗浄・湯張りスイッチ１０４、湯張り温度を設定する湯張り温度設定スイッチ１０５、さし湯やさし水運転を開始及び停止させるさし湯及びさし水スイッチ１０６、洗浄コースを選択する洗浄コース設定スイッチ１０７、タイマスイッチ１０８、及び運転状態や設定温度が表示される表示部１１０などが設けられている。また、図示しないが、リモコンＲは、本体ユニットコントローラ４０と電気配線を介して接続されており、洗浄ユニットコントローラ３０や排水栓コントローラ５０と本体ユニットコントローラ４０を介して接続されている。各コントローラは、ＣＰＵ、ＲＯＭ、ＲＡＭを備えるマイクロコンピュータから構成されており、格納されている制御プログラムに従って、排水栓２、洗浄液生成ユニット３、本体ユニット４、及び給湯器６を作動させ、湯張り運転や洗浄運転等が実行される。
【００２８】
図示しないが、給湯器コントローラ６０は、ガスバーナの燃焼を制御する給湯制御部を備え、本体ユニットコントローラ４０は、洗浄運転を制御する洗浄運転制御部、試運転を制御する試運転制御部を備える。また、本体ユニットコントローラ４０のメモリには、洗浄ノズル７から噴射させる洗浄液の設定流量を複数段階（ここでは、レベル０〜６の７段階）で変更するためのポンプ４８の駆動電圧の設定値が格納されているととともに、工場出荷時にはその１つが初期値として登録されている。
【００２９】
次に、図２を参照して、本実施の形態の浴槽洗浄装置における試運転モードの制御動作について説明する。なお、給湯器６は、給水管６３に設けられた給水センサ（図示せず）で検知される水量が所定水量以上になるとガスバーナを点火させ、給水センサで検知される水量が所定水量未満になるとガスバーナを消火させる点消火制御を行うように構成されている。
【００３０】
給湯器６、洗浄液生成ユニット３、本体ユニット４、リモコンＲなどの設置工事が終了した後、洗剤タンク４１へ洗剤が投入され、給湯器用のリモコンの運転スイッチがオン操作された状態で、例えば、施工者がリモコンＲの洗浄・湯張りスイッチ１０４と洗浄コース設定スイッチ１０７とを同時押しする試運転スイッチのオン操作を行うと、洗浄液の設定流量を設定する流量設定モード、洗浄試運転モード及び湯張り試運転モードの各運転を連続して行う試運転モード制御プログラムが起動され、まず流量設定モードでの運転が開始される（ステップＳＴ１）。
【００３１】
この流量設定モードの運転では、排水栓コントローラ５０により排水栓２が開栓され、排水栓２が開栓されてから所定の排水時間が経過すると、本体ユニットコントローラ４０は、本体ユニット４側のみに湯水混合部８０から湯水が供給されるように補水用電磁弁４６を開弁させる。すると、水道水圧力によって給水管６３から給湯器６に上水が供給され、図示しない給水センサで所定水量以上の水量が検知されると、給湯器コントローラ６０は、ガスバーナを点火させて給湯運転を開始させる。給湯運転が開始すると、湯水混合部８０において、温度センサ７５で検知される湯水の温度が所定の温度となるように水量調整弁８５及び湯量調整弁８６の開度が調整され、上流側の第１温調用給水管６３ａ並びに第１及び第２湯水供給管６６ａ，６６ｂを介して湯水タンク４７に所定の温度に調整された湯水が供給される（ステップＳＴ２〜ＳＴ４）。
【００３２】
次いで、湯水タンク４７内の電極で所定水位まで湯水が貯留されたことが検知されると、本体ユニットコントローラ４０は、補水用電磁弁４６を閉弁させる。そして、メモリに登録されている初期値（例えば、６．５Ｌ／ｍｉｎの流量が得られる駆動電圧）でポンプ４８を駆動させるとともに、下流側電磁弁４９並びに第１及び第２洗剤弁４２ａ，４２ｂを開弁させる。これにより、洗剤混合部５１に洗剤及び湯水が供給されて洗浄液が生成され、初期値の設定流量で洗浄ノズル７から浴槽１内に洗浄液が噴射される（ステップＳＴ５〜ＳＴ８）。
【００３３】
このとき、洗浄ノズル７から噴射される洗浄液の噴射位置が、想定されている標準湯量の湯水を注湯したときの喫水線と浴槽１の内壁面とが接触する領域と一致していなければ、施工者はリモコンＲの洗浄コース設定スイッチ１０７のＵＰ／ＤＯＷＮキーを操作して、ポンプ４８の駆動電圧を増減させる。すると、洗浄コース設定スイッチ１０７での流量変更の操作に応じて、所定の範囲（例えば、５．０Ｌ／ｍｉｎ〜８．０Ｌ／ｍｉｎの流量の範囲）で洗浄液の流量が変更される。そして、想定されている標準湯量の湯水を注湯したときの喫水線と浴槽１の内壁面とが接触する領域に重点的に洗浄液が噴射されるようになったことが確認されて、施工者がリモコンＲの洗浄・湯張りスイッチ１０４を再度押すと、変更後の流量を洗浄運転中の新たな設定流量とするため、設定値がメモリに登録される。また、下流側電磁弁４９並びに第１及び第２洗剤弁４２ａ，４２ｂを閉弁させ、さらにポンプ４８を停止させて、流量設定モードでの運転を終了させる（ステップＳＴ９〜ＳＴ１５）。
【００３４】
流量設定モードでの運転により設定流量が設定されると、洗浄試運転モードに移行する。図示しないが、この洗浄試運転モードの運転では、湯水のみを噴射させる予備すすぎ工程→洗浄液を噴射させる洗浄工程→湯水のみを噴射させるすすぎ工程の順に各工程が実行され、各工程において、上記と同様にして、補水用電磁弁４６、下流側電磁弁４９並びに第１及び第２洗剤弁４２ａ，４２ｂを開閉させるとともに、流量設定モードで設定された設定値でポンプ４８を駆動させて、洗浄ノズル７から湯水や洗浄液を噴射させる（ステップＳＴ１６〜ＳＴ１７）。
【００３５】
洗浄試運転モードでの運転が終了すると、湯張り試運転モードに移行する。図示しないが、この湯張り試運転モードの運転では、排水栓２を閉栓させるとともに、框水栓７９側のみに湯水混合部８０から湯水が供給されるように、湯張り用電磁弁９０を開弁させる。すると、上記と同様にして、水道水圧力によって給水管６３から給湯器６に上水が供給されて、給湯運転が開始される。給湯運転が開始すると、温度センサ７５で検知される湯水の温度が所定の温度となるように水量調整弁８５及び湯量調整弁８６の開度が調整され、所定の設定湯量まで湯張り用湯水供給管６６ｄを介して框水栓７９から浴槽１に湯水が供給される（ステップＳＴ１８〜ＳＴ１９）。
【００３６】
所定の設定湯量に到達すると、湯張り用電磁弁９０を閉弁させ、給湯器６の運転を停止させて、リモコンＲから試運転完了を報知させる（ステップＳＴ２０）。
【００３７】
上記浴槽洗浄装置によれば、洗浄ノズル７から噴射される洗浄液の噴射位置が、想定されている標準湯量の湯水を注湯したときの喫水線と浴槽１の内壁面とが接触する領域と一致していなければ、施工者等がリモコンＲを手動で特定操作することにより、ポンプ４８の駆動を制御して洗浄液の流量を調整し、メモリに適切な設定流量を登録できるから、浴槽洗浄装置の設置現場で、洗浄液の噴射位置を確認しながら、洗浄運転に適切な位置に洗浄液の噴射位置を変更することができる。
【００３８】
また、上記浴槽洗浄装置によれば、洗浄ノズル７から噴射させる洗浄液の設定流量を設定する流量設定モードでの運転が実行可能に構成されているから、洗浄運転の全工程を行うことなく、洗浄液の噴射位置の確認及び変更をすることができる。そして、流量設定モードでの運転において、想定されている標準湯量の湯水が注湯されたときに形成される喫水線と浴槽１の内壁面とが接触する領域に洗浄液が噴射されていないことが確認された場合、施工者等はリモコンＲを操作することにより、洗浄運転における洗浄液の設定流量を容易に変更することができる。これにより、浴槽１に注湯する標準湯量が想定されて、洗浄液の噴射位置が予め設定されている浴槽洗浄装置において、浴槽洗浄装置の設置現場で、浴槽１の使用条件や浴槽洗浄装置の設置環境に応じて、適切な設定流量で洗浄液を噴射させることができる。なお、流量設定モードでの運転の後に連続して洗浄試運転モードでの運転を実行させれば、設定流量の変更を忘れることがないから、確実に設定を行うことができる。
【００３９】
また、上記浴槽洗浄装置によれば、吐水口空間を有する湯水タンク４７によって上流側の第２湯水供給管６６ｂと下流側の第３湯水供給管６６ｃとは縁切りされているから、給湯器６に供給される上水の水道水圧力が変動しても、ポンプ４８によって吐出される湯水の流量が変動することもない。従って、浴室ＢＲから離れた場所に給湯器６が設置されていても、設定流量からのずれを防止できる。
【００４０】
従って、本実施の形態の浴槽洗浄装置によれば、浴槽洗浄装置の設置現場で、洗浄液の噴射位置を手動で変更できるから、定常的な入浴者の人数などの浴槽１の使用条件だけでなく、水道水圧力や配管長さなどの浴槽洗浄装置の設置環境が異なっていても、安定した洗浄性能が得られる浴槽洗浄装置を提供することができる。また、本実施の形態の浴槽洗浄装置によれば、浴槽１の使用条件や浴槽洗浄装置の設置条件に応じて洗浄液の噴射位置を変更できるから、例えば、異なる入浴者が連続して入浴し、入浴ごとに浴槽を洗浄する必要がある介護施設において、浴槽１上に浴槽蓋が載置されていない状態でも、浴槽１の内壁面の所定の噴射位置に洗浄液を重点的に噴射させて、浴槽１からの洗浄液の飛散を防止することができる。
【００４１】
（実施の形態２）
本実施の形態に係る浴槽洗浄装置は、実施の形態１の本体ユニット４に設けられていた湯水タンク４７、ポンプ４８、及び下流側電磁弁４９を有しておらず、上流側の第２湯水供給管６６ｂに、洗浄ノズル７からの洗浄液の噴射及び停止を行う開閉弁５５を備える。そのため、上流側の第１温調用給水管６３ａ及び第１湯水供給管６６ａにそれぞれ設けられた水量調整弁８５及び湯量調整弁８６の開度を調整して、洗浄液の流量が調整される。従って、本実施の形態では、湯水供給路に配設された水量調整弁８５及び湯量調整弁８６、並びにこれらの開度を制御する本体ユニットコントローラ４０の弁駆動部が、洗浄液の流量を調整する流量調整部として機能する。なお、洗浄液の噴射及び停止、並びに洗浄液の流量の調整以外の基本的な構成は、実施の形態１のそれと略同様である。このため、実施の形態１と同一の構成については、同一の引用番号を使用して説明を省略する。
【００４２】
図３は、本実施の形態に係る浴槽洗浄装置の概略構成図である。図３に示すように、湯水混合部８０の下流側には、開閉弁５５、逆止弁５６、及び大気開放弁５７が介設されている。従って、本実施の形態では、これら逆止弁５６及び大気開放弁５７が逆流防止部として機能する。また、下流側の第３湯水供給管６６ｃには、框水栓７９側と洗浄液生成ユニット３側とに流路を切り替える切替電磁弁９１が介設されている。より詳細には、切替電磁弁９１は、三方弁から構成され、入力側に下流側の第３湯水供給管６６ｃが接続され、出力側に湯水管６７と、框水栓７９に接続された湯張り用湯水供給管６６ｄとが接続されている。なお、図示しないが、本体ユニットコントローラ４０のメモリには、洗浄ノズル７から噴射させる洗浄液の設定流量を複数段階（ここでは、レベル０〜６の７段階）で変更するために、実施の形態１におけるポンプ４８の駆動を制御する設定値の代わりに、水量センサ８３と湯量センサ８４との合計流量の設定値が格納されており、工場出荷時にはその１つが初期値として登録されている。
【００４３】
次に、図４を参照して、本実施の形態の浴槽洗浄装置における試運転モードの制御動作について説明する。実施の形態１と同様に、施工者がリモコンＲの洗浄・湯張りスイッチ１０４と洗浄コース設定スイッチ１０７とを同時押しする試運転スイッチのオン操作を行うと流量設定モードでの運転が開始されて、排水栓コントローラ５０により排水栓２が開栓され、排水栓２が開栓されてから所定の排水時間が経過すると、本体ユニットコントローラ４０は、開閉弁５５を開弁させるとともに、洗浄液生成ユニット３側のみに湯水が供給されるように、切替電磁弁９１の流路を切り替える。すると、水道水圧力によって給水管６３から給湯器６に上水が供給され、図示しない給水センサで所定水量以上の水量が検知されると、給湯器コントローラ６０は、ガスバーナを点火させて給湯運転を開始させる。給湯運転が開始すると、湯水混合部８０において、温度センサ７５で検知される湯水の温度が所定の温度となり、湯量がメモリに登録されている初期値となるように、水量調整弁８５及び湯量調整弁８６の開度が調整され、第１及び第２洗剤弁４２ａ，４２ｂを開弁させる。これにより、洗剤混合部５１に洗剤及び湯水が供給されて洗浄液が生成され、初期値の設定流量で洗浄ノズル７から浴槽１内に洗浄液が噴射される（ステップＳＴ２１〜ＳＴ２５）。
【００４４】
洗浄ノズル７から噴射される洗浄液の噴射位置が、想定されている標準湯量の湯水を注湯したときの喫水線と浴槽１の内壁面とが接触する領域と一致していなければ、実施の形態１と同様に、施工者はリモコンＲの洗浄コース設定スイッチ１０７のＵＰ／ＤＯＷＮキーを操作して、水量センサ８３と湯量センサ８４との合計流量の設定値を増減させる。すると、洗浄コース設定スイッチ１０７での流量変更の操作に応じて、所定の範囲で洗浄液の流量が変更される。そして、想定されている標準湯量の湯水を注湯したときの喫水線と浴槽１の内壁面とが接触する領域に重点的に洗浄液が噴射されるようになったことが確認されて、施工者がリモコンＲの洗浄・湯張りスイッチ１０４を再度押すと、変更後の流量を洗浄運転中の新たな設定流量とするため、設定値がメモリに登録される。また、開閉弁５５並びに第１及び第２洗剤弁４２ａ，４２ｂを閉弁させて、流量設定モードの運転を終了させる（ステップＳＴ２６〜ＳＴ３２）。以後の動作は、実施の形態１と同様であり、洗浄試運転モード及び湯張り試運転モードでの運転が順次、実行される（ステップＳＴ３３〜ＳＴ３７）。
【００４５】
上記浴槽洗浄装置によれば、実施の形態１と同様に、施工者等がリモコンＲを手動で特定操作することにより、水量調整弁８５及び湯量調整弁８６の開度を制御して洗浄液の流量を調整し、メモリに適切な設定流量を登録できるから、浴槽洗浄装置の設置現場で、洗浄液の噴射位置を確認しながら、洗浄運転に適切な位置に洗浄液の噴射位置を変更することができる。
【００４６】
また、上記浴槽洗浄装置によれば、実施の形態１と同様に、湯張り運転や洗浄運転の全工程を行うことなく、流量設定モードでの運転において洗浄液の噴射位置の確認及び変更をすることができるから、浴槽１に注湯する標準湯量が想定されて、洗浄液の噴射位置が予め設定されている浴槽洗浄装置において、浴槽洗浄装置の設置現場で、浴槽１の使用条件や浴槽洗浄装置の設置環境に応じて、適切な設定流量で洗浄液を噴射させることができる。なお、流量設定モードでの運転の後に連続して洗浄試運転モードでの運転を実行させれば、設定流量の変更を忘れることがないから、確実に設定を行うことができる。
【００４７】
従って、本実施の形態の浴槽洗浄装置も、実施の形態１と同様に、浴槽１の使用条件だけでなく、浴槽洗浄装置の設置環境が異なっていても、安定した洗浄性能が得られる浴槽洗浄装置を提供することができる。
【００４８】
（その他の実施の形態）
（１）上記実施の形態１では、予め設定された設定値でポンプを駆動制御することより洗浄ノズルから噴射させる洗浄液の流量を調整しているが、流量センサを設けて、洗浄液の流量を調整してもよい。
（２）上記実施の形態ではいずれも、手動流量設定部としてリモコンのスイッチが用いられているが、ＤＩＰスイッチ等により流量を設定してもよい。
（３）上記実施の形態ではいずれも、本体ユニットと洗浄液生成ユニットとを別体とした浴槽洗浄装置が用いられているが、浴室や浴槽の大きさに応じてこれらを一体にした浴槽洗浄装置を用いてもよい。
（４）上記実施の形態ではいずれも、洗浄運転における設定流量として、標準湯量の湯水を注湯したときの喫水線と浴槽の内壁面とが接触する領域が洗浄液の噴射位置となるよう単一の設定流量を設定しているが、浴槽の使用条件に応じて異なる設定流量を設定してもよいし、洗浄運転中に異なる噴射位置に洗浄液を噴射させるため複数の設定流量を設定してもよい。
（５）上記実施の形態ではいずれも、湯張り用湯水供給管を備えた浴槽洗浄装置が用いられているが、湯張り用湯水供給管を設けず、洗浄運転のみを行う浴槽洗浄装置であってもよい。
（６）上記実施の形態ではいずれも、流量設定モードの運転で洗剤を含む洗浄液を噴射させているが、湯水のみを噴射させて設定流量を設定してもよい。
（７）上記実施の形態ではいずれも、洗浄試運転モード及び湯張り試運転モードの運転を含む試運転モードが実行されているが、流量設定モードの運転のみを実行させてもよい。また、流量設定モードでの運転前に洗浄試運転モードでの運転を実行させてもよい。ただし、流量設定モードでの運転後に洗浄試運転モードでの運転を連続して実行させることにより、設定流量にて洗浄試運転モードの運転を実行できるため、より好ましい。
【符号の説明】
【００４９】
１              浴槽
２              排水栓
４              本体ユニット
６              給湯器（熱源機）
７              洗浄ノズル
４０            本体ユニットコントローラ
４８            ポンプ
５１            洗剤混合部
８５            水量調整弁
８６            湯量調整弁
Ｒ              リモコン（手動流量設定部）
【図１】
2018175001.tif 000003
【図２】
2018175001.tif 000004
【図３】
2018175001.tif 000005
【図４】
2018175001.tif 000006